(57)【要約】【課題】、サーバに蓄積された複数の音響特性パラメータの可用性を向上する「音響特性設定支援システム及び音響特性設定装置」を提供する。【解決手段】スマートフォン２のオーディオ設定アプリケーション２０９はチューニングデータ設定提供サーバからユーザが指定した検索条件を満たすチューニングデータを取得する。そして、チューニングデータに含まれる、オーディオ装置１の複数の音響特性項目のパラメータを表すチューニングパラメータを、当該チューニングパラメータを作成した音響環境を表す対象音響環境データとオーディオ装置１の音響環境とに応じて、オーディオ装置１に適用しても適切な効果が見込めない音響特性項目のパラメータが除外されるようにフィルタリングする。そして、フィルタリング後のチューニングパラメータをオーディオ装置１に設定する。【選択図】図１
2014026146.tif 000002
【特許請求の範囲】
【請求項１】
オーディオ装置の音響特性を定めるパラメータの設定を支援する音響特性設定支援システムであって、
複数の音響特性項目についてのパラメータのセットであるパラメータデータと、当該パラメータデータのパラメータのセットの有効性が確認された音響環境を、複数の音響環境項目の値のセットによって表す音響環境データとを含む共用データを、複数登録したサーバと、
前記サーバにアクセス可能な音響特性設定装置とを有し、
前記音響特性設定装置は、
前記サーバから、前記共用データを取得する共用データ取得部と、
前記各音響環境項目についての、前記共用データ取得手段が取得した共用データに含まれる前記音響環境データが表す値と、前記オーディオ装置の音響環境における値との一致の有無のパターンである音響環境一致パターンに基づいて定まる音響特性項目についてのパラメータを、前記取得した共用データに含まれるパラメータデータに含まれる各パラメータのうちから適用パラメータとして選定する適用パラメータ選定部と、
前記適用パラメータ選定部が、適用パラメータとして選定したパラメータを、前記オーディオ装置に、当該オーディオ装置の当該選定したパラメータに対応する音響特性項目のパラメータとして設定するパラメータ設定部とを有することを特徴とする音響特性設定支援システム。
【請求項２】
請求項１記載の音響特性設定支援システムであって、
前記音響特性設定装置の前記適用パラメータ選定部は、各音響環境項目の値の一致の有無の各パターンと適用音響特性項目とする音響特性項目との予め定めた対応に従って、前記音響環境一致パターンより適用音響特性項目とする音響特性項目を求め、当該適用音響特性項目として求まった各音響特性項目についてのパラメータを、前記取得した共用データに含まれるパラメータデータに含まれる各パラメータのうちから適用パラメータとして選定することを特徴とする音響特性設定支援システム。
【請求項３】
請求項１記載の音響特性設定支援システムであって、
前記音響特性設定装置の前記適用パラメータ選定部は、値が一致しない音響環境項目と、不適用音響特性項目とする音響特性項目との予め定めた対応に従って、前記音響環境一致パターンより不適用音響特性項目とする音響特性項目を求め、当該不適用音響特性項目として求まらなかった各音響特性項目についてのパラメータを、前記取得した共用データに含まれるパラメータデータに含まれる各パラメータのうちから前記適用パラメータとして選定することを特徴とする音響特性設定支援システム。
【請求項４】
請求項１、２または３記載の音響特性設定支援システムであって、
前記音響特性設定装置の前記適用パラメータ選定部によって前記適用パラメータとして選定されるパラメータは、前記オーディオ装置の音響環境下において、前記取得した共用データに含まれる前記音響環境データが表す音響環境下と、前記オーディオ装置の音質に対して同様の効果を奏すると推定される音響特性項目のパラメータであることを特徴とする音響特性設定支援システム。
【請求項５】
請求項１、２、３または４記載の音響特性設定支援システムであって、
前記音響環境項目は、前記オーディオ装置のスピーカーシステムの構成を表す項目を含むことを特徴とする音響特性設定支援システム。
【請求項６】
請求項１、２、３、４または５記載の音響特性設定支援システムであって、
前記オーディオ装置は自動車に搭載されるオーディオ装置であって、
前記音響環境項目は、前記オーディオ装置が搭載された前記自動車の車種を表す項目を含むことを特徴とする音響特性設定支援システム。
【請求項７】
請求項１、２、３、４、５または６記載の音響特性設定支援システムであって、
前記オーディオ装置は自動車に搭載されるオーディオ装置であって、
前記音響環境項目は、前記オーディオ装置が搭載された前記自動車内のリスニングポジションを表す項目を含むことを特徴とする音響特性設定支援システム。
【請求項８】
請求項１、２、３、４、５、６または７記載の音響特性設定支援システムであって、
前記音響特性項目は、前記オーディオ装置のゲインの周波数特性を表す項目と、前記オーディオ装置の各スピーカーへの出力音の間の遅延特性を表す項目と、前記オーディオ装置の各スピーカーへの出力音の周波数帯域を表す項目とのうちのいずれかを含むことを特徴とする音響特性設定支援システム。
【請求項９】
請求項１、２、３、４、５、６、７または８記載の音響特性設定支援システムであって、
前記サーバは、前記音響特性設定装置からの検索条件を指定した検索要求に応答して、指定された検索条件にマッチする共用データを検索して前記音響特性設定装置に提供する検索機能を備え、
前記音響特性設定装置の共用データ取得部は、前記検索条件を指定した検索要求を前記サーバに発行することにより前記サーバから前記共用データを取得することを特徴とする音響特性設定支援システム。
【請求項１０】
オーディオ装置の音響特性を定めるパラメータの設定を支援する音響特性設定装置であって、
複数の音響特性項目についてのパラメータのセットであるパラメータデータと、当該パラメータデータのパラメータのセットの有効性が確認された音響環境を、複数の音響環境項目の値のセットによって表す音響環境データとを含む共用データを複数登録したサーバにアクセスし、当該サーバから前記共用データを取得する共用データ取得部と、
前記各音響環境項目についての、前記共用データ取得手段が取得した共用データに含まれる前記音響環境データが表す値と、前記オーディオ装置の音響環境における値との一致の有無のパターンである音響環境一致パターンに基づいて定まる音響特性項目についてのパラメータを、前記取得した共用データに含まれるパラメータデータに含まれる各パラメータのうちから適用パラメータとして選定する適用パラメータ選定部と、
前記適用パラメータ選定部が、適用パラメータとして選定したパラメータを、前記オーディオ装置に、当該オーディオ装置の当該選定したパラメータに対応する音響特性項目のパラメータとして設定するパラメータ設定部とを有することを特徴とする音響特性設定装置。
【請求項１１】
請求項１０記載の音響特性設定装置であって、
前記適用パラメータ選定部は、各音響環境項目の値の一致の有無の各パターンと適用音響特性項目とする音響特性項目との予め定めた対応に従って、前記音響環境一致パターンより適用音響特性項目とする音響特性項目を求め、当該適用音響特性項目として求まった各音響特性項目についてのパラメータを、前記取得した共用データに含まれるパラメータデータに含まれる各パラメータのうちから適用パラメータとして選定することを特徴とする音響特性設定装置。
【請求項１２】
請求項１０記載の音響特性設定装置であって、
前記適用パラメータ選定部は、値が一致しない音響環境項目と、不適用音響特性項目とする音響特性項目との予め定めた対応に従って、前記音響環境一致パターンより不適用音響特性項目とする音響特性項目を求め、当該不適用音響特性項目として求まらなかった各音響特性項目についてのパラメータを、前記取得した共用データに含まれるパラメータデータに含まれる各パラメータのうちから前記適用パラメータとして選定することを特徴とする音響特性設定装置。
【請求項１３】
請求項１０、１１または１２記載の音響特性設定装置であって、
前記適用パラメータ選定部によって前記適用パラメータとして選定されるパラメータは、前記オーディオ装置の音響環境下において、前記取得した共用データに含まれる前記音響環境データが表す音響環境下と、前記オーディオ装置の音質に対して同様の効果を奏すると推定される音響特性項目のパラメータであることを特徴とする音響特性設定装置。
【請求項１４】
コンピュータによって読み取られ実行される、オーディオ装置の音響特性を定めるパラメータの設定を支援するためのコンピュータプログラムであって、
前記コンピュータに、複数の音響特性項目についてのパラメータのセットであるパラメータデータと、当該パラメータデータのパラメータのセットの有効性が確認された音響環境を、複数の音響環境項目の値のセットによって表す音響環境データとを含む共用データを複数登録したサーバにアクセスし、当該サーバから前記共用データを取得する共用データ取得ステップと、
前記各音響環境項目についての、前記共用データ取得ステップで取得した共用データに含まれる前記音響環境データが表す値と、前記オーディオ装置の音響環境における値との一致の有無のパターンである音響環境一致パターンに基づいて定まる音響特性項目についてのパラメータを、前記取得した共用データに含まれるパラメータデータに含まれる各パラメータのうちから適用パラメータとして選定する適用パラメータ選定ステップと、
前記適用パラメータ選定ステップで、適用パラメータとして選定したパラメータを、前記オーディオ装置に、当該オーディオ装置の当該選定したパラメータに対応する音響特性項目のパラメータとして設定するパラメータ設定ステップとを実行させることを特徴とするコンピュータプログラム。
【請求項１５】
請求項１４記載のコンピュータプログラムであって、
前記適用パラメータ選定ステップにおいて、各音響環境項目の値の一致の有無の各パターンと適用音響特性項目とする音響特性項目との予め定めた対応に従って、前記音響環境一致パターンより適用音響特性項目とする音響特性項目を求め、当該適用音響特性項目として求まった各音響特性項目についてのパラメータを、前記取得した共用データに含まれるパラメータデータに含まれる各パラメータのうちから適用パラメータとして選定することを特徴とするコンピュータプログラム。
【請求項１６】
請求項１４記載のコンピュータプログラムであって、
前記適用パラメータ選定ステップにおいて、値が一致しない音響環境項目と、不適用音響特性項目とする音響特性項目との予め定めた対応に従って、前記音響環境一致パターンより不適用音響特性項目とする音響特性項目を求め、当該不適用音響特性項目として求まらなかった各音響特性項目についてのパラメータを、前記取得した共用データに含まれるパラメータデータに含まれる各パラメータのうちから前記適用パラメータとして選定することを特徴とするコンピュータプログラム。
【請求項１７】
請求項１４、１５または１６記載のコンピュータプログラムであって、
前記適用パラメータ選定ステップにおいて前記適用パラメータとして選定されるパラメータは、前記オーディオ装置の音響環境下において、前記取得した共用データに含まれる前記音響環境データが表す音響環境下と、前記オーディオ装置の音質に対して同様の効果を奏すると推定される音響特性項目のパラメータであることをコンピュータプログラム。
【発明の詳細な説明】
【技術分野】
【０００１】
本発明は、オーディオ装置の音響特性を設定する技術に関するものである。
【背景技術】
【０００２】
オーディオ装置のゲインの周波数特性を定めるイコライザパラメータや、各スピーカーへの出力音間の遅延を定めるTCR（タイムコレクション）パラメータや、個々のスピーカーへの出力音の周波数帯域を定めるクロスオーバーパラメータなどのオーディオ装置の音響特性パラメータを設定する技術としては、サーバに蓄積されている音響特性パラメータをダウンロードしてオーディオ装置に設定する技術が知られている（たとえば、特許文献１）。
【先行技術文献】
【特許文献】
【０００３】
【特許文献１】特開2009-130643号公報
【発明の概要】
【発明が解決しようとする課題】
【０００４】
上述したサーバから音響特性パラメータをダウンロードしてオーディオ装置に設定する技術を用いて、蓄積した様々な音響特性パラメータをサーバが公開し、各オーディオ装置のユーザが、それぞれ所望の音響特性パラメータをサーバからダウンロードしてオーディオ装置に設定できるようにすることが考えられる。
しかしながら、オーディオ装置に適した音響特性は、当該オーディオ装置のスピーカー構成や当該オーディオ装置が適用される音響空間などの音響環境によって異なるものとなる。そして、このために、サーバに蓄積された各音響特性パラメータは、各々特定の音響環境化にあるオーディオ装置にしか適用できず、その可用性は低い。
すなわち、オーディオ装置に、当該オーディオ装置と異なる音響環境に適するものとして作成された音響特性パラメータをそのまま適用すると、当該オーディオ装置の出力音は、必ずしも良質な音質とはならないのみならず、かえって、劣悪な音質となる場合もある。
そこで、オーディオ装置に、当該オーディオ装置と完全に一致する音響環境に適するものとして作成された音響特性パラメータのみが適用されるようにする必要があるが、このようにすると、サーバに様々な音響特性パラメータが蓄積されていても、個々のオーディオ装置で利用できる音響特性パラメータは限定されてしまうこととなる。
【０００５】
そこで、本発明は、サーバに蓄積された音響特性パラメータをダウンロードしてオーディオ装置に設定するシステムにおいて、各音響特性パラメータの可用性を向上することを課題とする。
【課題を解決するための手段】
【０００６】
前記課題達成のために、本発明は、オーディオ装置の音響特性を定めるパラメータの設定を支援する音響特性設定支援システムとして、複数の音響特性項目についてのパラメータのセットであるパラメータデータと、当該パラメータデータのパラメータのセットの有効性が確認された音響環境を、複数の音響環境項目の値のセットによって表す音響環境データとを含む共用データを、複数登録したサーバと、前記サーバにアクセス可能な音響特性設定装置とを備えた音響特性設定支援システムを提供する。ここで、前記音響特性設定装置は、前記サーバから、共用データを取得する共用データ取得部と、前記各音響環境項目についての、前記共用データ取得手段が取得した共用データに含まれる前記音響環境データが表す値と、前記オーディオ装置の音響環境における値との一致の有無のパターンである音響環境一致パターンに基づいて定まる音響特性項目についてのパラメータを、前記取得した共用データに含まれるパラメータデータに含まれる各パラメータのうちから適用パラメータとして選定する適用パラメータ選定部と、前記適用パラメータ選定部が、適用パラメータとして選定したパラメータを、前記オーディオ装置に、当該オーディオ装置の当該選定したパラメータに対応する音響特性項目のパラメータとして設定するパラメータ設定部とを備えたものである。
【０００７】
ここで、このような音響特性設定支援システムは、前記音響特性設定装置の前記適用パラメータ選定部において、各音響環境項目の値の一致の有無の各パターンと適用音響特性項目とする音響特性項目との予め定めた対応に従って、前記音響環境一致パターンより適用音響特性項目とする音響特性項目を求め、当該適用音響特性項目として求まった各音響特性項目についてのパラメータを、前記取得した共用データに含まれるパラメータデータに含まれる各パラメータのうちから適用パラメータとして選定するように構成してもよい。
【０００８】
また、このような音響特性設定支援システムは、前記音響特性設定装置の前記適用パラメータ選定部において、値が一致しない音響環境項目と、不適用音響特性項目とする音響特性項目との予め定めた対応に従って、前記音響環境一致パターンより不適用音響特性項目とする音響特性項目を求め、当該不適用音響特性項目として求まらなかった各音響特性項目についてのパラメータを、前記取得した共用データに含まれるパラメータデータに含まれる各パラメータのうちから前記適用パラメータとして選定するように構成してもよい。
【０００９】
また、これらの音響特性設定支援システムにおいて、前記音響特性設定装置の前記適用パラメータ選定部によって前記適用パラメータとして選定されるパラメータは、前記オーディオ装置の音響環境下において、前記取得した共用データに含まれる前記音響環境データが表す音響環境下と、前記オーディオ装置の音質に対して同様の効果を奏すると推定される音響特性項目のパラメータとすることが好ましい。
【００１０】
ここで、以上の音響特性設定支援システムにおいて、前記音響環境項目は、前記オーディオ装置のスピーカーシステムの構成を表す項目を含めることは好ましい。また、オーディオ装置が自動車に搭載されるオーディオ装置である場合には、前記音響環境項目は、前記オーディオ装置が搭載された前記自動車の車種を表す項目や、前記オーディオ装置が搭載された前記自動車内のリスニングポジションを表す項目を含むようにすることも好ましい。
【００１１】
また、以上の音響特性設定支援システムであって、前記音響特性項目としては、前記オーディオ装置のゲインの周波数特性を表す項目や、前記オーディオ装置の各スピーカーへの出力音の間の遅延特性を表す項目や、前記オーディオ装置の各スピーカーへの出力音の周波数帯域を表す項目などを用いることができる。
また、以上の音響特性設定支援システムは、前記サーバに、前記音響特性設定装置からの検索条件を指定した検索要求に応答して、指定された検索条件にマッチする共用データを検索して前記音響特性設定装置に提供する検索機能を備え、前記音響特性設定装置の共用データ取得部において、前記検索条件を指定した検索要求を前記サーバに発行することにより前記サーバから前記共用データを取得するように構成してもよい。
【００１２】
このような音響特性設定支援システムによれば、各音響環境項目についての、共用データに含まれる前記音響環境データが表す値と、前記オーディオ装置の音響環境における値の一致の有無のパターンに応じて、共用データに含まれるパラメータデータが表す複数のパラメータのうちからパラメータを選定し、選定したパラメータのみをオーディオ装置に設定する。ここで、オーディオ装置の音響環境での利用に、共用データのパラメータデータのパラメータを適用しても有効な音響特性項目は、各音響環境項目についての、共用データに含まれる前記音響環境データが表す値と、前記オーディオ装置の音響環境における値との一致の有無のパターンより特定することができる。したがって、このような音響特性設定支援システムによれば、サーバに蓄積した共用データに含まれるパラメータデータが表す複数のパラメータのうちからオーディオ装置の音響環境での利用に有効なパラメータのみを選定し、選定したパラメータのみをオーディオ装置に設定することが可能となる。
【００１３】
よって、本発明によれば、オーディオ装置の音響環境と完全には一致しない音響環境において有効なパラメータデータを含む共用データも、そのパラメータデータに含まれるパラメータの一部のみをオーディオ装置の音質の向上のために用いることができるようになり、結果、サーバに登録された各共用データの可用性を向上することができる。
【発明の効果】
【００１４】
以上のように、本発明によれば、サーバに蓄積された音響特性パラメータをダウンロードしてオーディオ装置に設定するシステムにおいて、各音響特性パラメータの可用性を向上することができる。
【図面の簡単な説明】
【００１５】
【図１】本発明の実施形態に係るイコライザ設定支援システムの構成を示すブロック図である。
【図２】本発明の実施形態に係る自音響環境データと、チューニングデータＤＢの内容を示す図である。
【図３】本発明の実施形態に係る登録画面を示す図である。
【図４】本発明の実施形態に係るパラメータ設定処理を示すフローチャートである。
【図５】本発明の実施形態に係る検索画面と設定画面を示す図である。
【図６】本発明の実施形態に係るフィルタリングの内容を示す図である。
【発明を実施するための形態】
【００１６】
以下、本発明の実施形態について説明する。
図１に、本実施形態に係るオーディオ音響特性設定支援システムの構成を示す。
図示するように、オーディオ音響特性設定支援システムは、自動車に搭載されたオーディオ装置１と、オーディオ装置１と接続可能なスマートフォン２と、スマートフォン２がＷＡＮ４を介してアクセス可能なチューニング支援センタシステム３とより構成される。ここで、ＷＡＮ４は、移動体通信網と、移動体通信網が接続したインターネットなどのネットワークとを含んで構成される。
【００１７】
そして、オーディオ装置１は、たとえば、自動車に搭載される装置であり、図示するように、入力装置１０１、複数のスピーカー１０２、各スピーカー１０２に対応して設けられた音声出力装置１０３、表示装置１０４、デバイスインタフェース１０５、制御部１０６、メディアプレイヤ１０７、ラジオ放送の受信を行うラジオ受信機１０８、CDやDVDなどの記録ディスクの再生を行うディスクドライブ１０９、記憶装置１１０とを備えている。
【００１８】
次に、スマートフォン２は、ユーザによって携帯されるモバイル装置であり、図示するように、記憶部２０１、操作部２０２、ディスプレイ２０３、マイクやスピーカー１０２などを備えた音声入出力部２０４、ホストインタフェース２０５、移動体通信網にアクセスするための移動通信装置２０６、オペレーティングシステム２０７を備えている。また、スマートフォン２は、オペレーティングシステム２０７によって管理されオペレーティングシステム２０７上で稼働するアプリケーションとして、移動電話アプリケーション２０８や、オーディオ設定アプリケーション２０９などの複数のアプリケーションを備えている。
【００１９】
ここで、移動電話アプリケーション２０８は、移動通信装置２０６や音声入出力部２０４や操作部２０２を用いた移動電話機能を提供するアプリケーションであり、オーディオ設定アプリケーション２０９は、オーディオ装置１の制御部１０６に、オーディオ装置１の各音響特性を決定するチューニングパラメータを設定するパラメータ設定処理等を行う。
【００２０】
また、スマートフォン２のホストインタフェース２０５と、車載装置のデバイスインタフェース１０５とは、Bluetooth（登録商標）や、WIFIなどの無線通信インタフェースによって無線接続して相互通信を行う。
さて、このような構成において、オーディオ装置１のメディアプレイヤ１０７は、ラジオ受信機１０８がラジオ放送から受信した音声の音声出力装置１０３を介したスピーカー１０２への出力や、ディスクドライブ１０９に装着された記録ディスクや記憶装置１１０に記録されているオーディオコンテンツの再生と音声出力装置１０３を介したスピーカー１０２への出力を行う。また、メディアプレイヤ１０７は、イコライザを内蔵しており、制御部１０６から設定されたイコライザパラメータに従ったゲインの周波数特性で、ラジオ放送から受信した各チャネルの音声や、記憶ディスクや記憶装置１１０に記録されているオーディオコンテンツの各チャネルの音声の周波数特性を変更した上で、当該チャネルの音声を出力するスピーカー１０２に対応する音声出力装置１０３に出力する。
【００２１】
また、オーディオ装置１の各音声出力装置１０３は、メディアプレイヤ１０７から出力された音声に、制御部１０６から設定されたＴＣＲパラメータに従った遅延時間分遅延させる遅延処理や、制御部１０６から設定されたクロスオーバーパラメータに従った周波数帯域を抽出するフィルタリング処理を施すと共に、制御部１０６から指定された増幅率で増幅して対応するスピーカー１０２に出力する。
【００２２】
ここで、オーディオ装置１の制御部１０６は、上述したイコライザパラメータやＴＣＲパラメータやクロスオーバーパラメータなどの複数の音響特性項目のパラメータを表す設定音響特性パラメータを記憶装置１１０に保持している、また、制御部１０６は、ユーザの設定音響特性パラメータの編集操作を入力装置１０１を介して受け付けて設定音響特性パラメータが表す各音響特性項目のパラメータを変更する処理や、スマートフォン２から設定されるチューニングパラメータに従って、設定音響特性パラメータが表す各音響特性項目のパラメータを変更する処理を行う。なお、設定音響特性パラメータの変更は、スマートフォン２のオーディオ設定アプリケーション２０９において、ユーザの音響特性パラメータの編集操作を操作部２０２を介して受け付けて音響特性パラメータを編集し、編集した音響特性パラメータをオーディオ装置１の制御部１０６に通知し、オーディオ装置１の制御部１０６において通知された音響特性パラメータに従って設定音響特性パラメータが表す各音響特性項目のパラメータを変更することによっても行うようにしてもよい。
【００２３】
また、オーディオ装置１の制御部１０６は、このような設定音響特性パラメータが表す各音響特性項目のパラメータの変更が生じる度に、オーディオ装置１の音響特性を変更後の設定音響特性パラメータに従って変更する。すなわち、たとえば、設定音響特性パラメータが表すイコライザパラメータが変更されたならば、変更後のイコライザパラメータをメディアプレイヤ１０７に設定し、設定音響特性パラメータが表すＴＣＲパラメータやクロスオーバーパラメータが変更されたならば、変更後のＴＣＲパラメータやクロスオーバーパラメータを各音声出力装置１０３に設定する。
【００２４】
次に、スマートフォン２の記憶部２０１には、図２ａに示す自音響環境データが登録されている。
図示するように、自音響環境データには、オーディオ装置１が搭載されている自動車の車名と形式を表す車種や、オーディオ装置１の音響特性を最適化するユーザの座席を表すリスニングポジションや、オーディオ装置１のスピーカー数やサブウーハーの有無やサブウーハーのサイズを示すスピーカーシステムなどの複数の音響環境項目についての情報が、オーディオ装置１の音響環境を表す情報として登録される。
【００２５】
なお、このような設定対象音響環境データへの情報の登録は、オーディオ設定アプリケーション２０９が行う。すなわち、オーディオ設定アプリケーション２０９は、適当な自音響環境データ設定画面をディスプレイ２０３に表示し、自音響環境データ設定画面上でユーザから操作部２０２を介して設定対象音響環境データの各音響環境項目の情報の入力を受け付け、受け付けた内容を設定対象音響環境データに登録する。
【００２６】
次に、チューニング支援センタシステム３は、ＷＡＮ４に接続したチューニングデータ提供サーバ３１と、チューニングデータのデータベースである、チューニングデータＤＢ３２を備えている。
そして、チューニングデータＤＢ３２には、図２ｂに示すように、オーディオ装置１のユーザによって作成されチューニング支援センタシステム３にアップロードされた複数のチューニングデータが蓄積されている。そして、各チューニングデータは、登録日時、書誌、対象音響環境、チューニングパラメータ、評価が登録されている。
【００２７】
ここで、各チューニングデータのチューニングパラメータには、オーディオ装置１のユーザがオーディオ装置１に設定し、オーディオ装置１の出力音より、その効果を確認したイコライザパラメータやＴＣＲパラメータやクロスオーバーパラメータなどの各音響特性項目のパラメータが登録される。
また、登録日時には、チューニングデータがチューニングデータＤＢ３２に登録された月日が登録される。
【００２８】
また、書誌は、作成者、タイトル、ジャンル、コメントよりなり、作成者はチューニングパラメータを作成したオーディオ装置１のユーザの名称が登録され、タイトルは作成者が設定したチューニングデータのタイトルが登録される。ただし、作成者は、タイトルとしては、チューニングパラメータが適する音楽の種類を簡便に表すものを用いる。また、ジャンルには、作成者により設定された、チューニングパラメータが適する音楽の種類（ロック、ポップス等）が登録され、コメントには、作成者により設定された、チューニングパラメータの詳細な説明が登録される。
次に、対象音響環境には、作成者がチューニングパラメータを設定して、その出力音より効果を確認したオーディオ装置１の音響環境が登録され、音響環境は、上述した車種、リスニングポジション、スピーカーシステム等の各音響環境項目の情報が登録される。
【００２９】
そして、評価は、レートと評価数とダウンロード数とよりなり、レートにはチューニングデータの評価値の平均値が、評価数にはチューニングデータが評価された回数を表す評価数がダウンロード数にはチューニングデータがダウンロードされた回数が登録される。
さて、上述のように、このようなチューニングデータのチューニングデータＤＢ３２へのアップロードは、オーディオ装置１のユーザによって行われる。
以下、このチューニングデータのアップロードの動作について説明する。
オーディオ装置１のユーザは、現在のオーディオ装置１の設定音響特性パラメータを他のユーザと共有したいと考えた場合、スマートフォン２のオーディオ設定アプリケーション２０９にアップロード処理の開始を指示する。
アップロード処理の開始を指示されたスマートフォン２のオーディオ設定アプリケーション２０９は、図３に示す登録画面をディスプレイ２０３に表示し、ユーザから作成者、タイトル、ジャンル、コメントなどの書誌の各項目の情報３０１と、車種、スピーカーシステム、リスニングポジションなどの当該ユーザのオーディオ装置１の音響環境を表す各音響環境項目の情報３０２の入力を受け付ける。
【００３０】
ただし、各音響環境項目の情報は、記憶部２０１の自音響環境データに登録されている、対応する音響環境項目の情報を自動入力するようにしてよい。
そして、ユーザから登録画面に設けた登録ボタン３０３が操作されたならば、入力を受け付けた各情報と、現在のオーディオ装置１の設定音響特性パラメータとを含めた登録データを伴う登録要求を、チューニングデータ提供サーバ３１に発行する。なお、現在のオーディオ装置１の設定音響特性パラメータは、制御部１０６を介してオーディオ装置１から取得するようする。ただし、当該現在のオーディオ装置１の設定音響特性パラメータが上述のようにオーディオ設定アプリケーション２０９において編集してオーディオ装置１に設定した音響特性パラメータである場合には、当該音響特性パラメータを、現在のオーディオ装置１の設定音響特性パラメータとして用いるようにしてもよい。
【００３１】
一方、登録要求を受けたチューニングデータ提供サーバ３１は、登録データの書誌の各項目の情報を、書誌の各項目の情報とし、登録データの各音響環境項目の情報を対象音響環境の各音響環境項目の情報とし、設定音響特性パラメータをチューニングパラメータとするチューニングデータを新規作成する。そして、作成したチューニングデータに登録日時として現在日時を、レートとして評価無を、評価数として０を、ダウンロード数として０を登録した上で、当該チューニングデータをチューニングデータＤＢ３２に登録する。
【００３２】
次に、スマートフォン２のオーディオ設定アプリケーション２０９が、上述のようにオーディオ装置１の制御部１０６にチューニングパラメータを設定するために行うパラメータ設定処理について説明する。
図４に、このパラメータ設定処理の手順を示す。なお、パラメータ設定処理は、ユーザからパラメータ設定処理の開始を指示されたときに、オーディオ設定アプリケーション２０９が実行を開始する処理である。
さて、図４に示すように、パラメータ設定処理において、スマートフォン２のオーディオ設定アプリケーション２０９は、まず、図５ａに示す検索画面をディスプレイ２０３に表示し（ステップ４０２）、検索画面上で各検索項目の検索キーの入力を受け付け（ステップ４０４）、各検索項目毎の検索キーの集合よりなる検索条件を設定する（ステップ４１０）。
【００３３】
ここで、図５ａに示すように、ユーザは検索画面の検索条件入力領域５０１に設けられた、作成者、タイトル、ジャンル、レート、車名、自動車の型式の各検索項目の入力ボックスを用いて各検索項目についての検索キーを設定することができる。ただし、ユーザは、検索項目の全てについて検索キーを設定する必要はなく、任意数の任意の項目についてのみ検索キーを設定することができる。
【００３４】
また、検索画面に設けられた終了ボタン５０２の操作による終了指示が発生したならば（ステップ４０６）、パラメータ設定処理を終了する。一方、検索画面に設けられた検索ボタン５０３の操作による検索指示が発生したならば（ステップ４０８）、検索画面で受け付けた検索項目毎の検索キーの集合よりなる検索条件を伴う検索要求を、チューニングデータ提供サーバ３１に発行することにより、検索条件にマッチするチューニングデータの書誌をチューニング支援システムから取得する（ステップ４１２）。
【００３５】
ここで、オーディオ設定アプリケーション２０９から、検索要求を受け取ったチューニングデータ提供サーバ３１は、検索条件にマッチするチューニングデータ、すなわち、検索条件に含まれる各検索キーの検索項目の全てについて、検索キーとマッチする（完全一致または部分一致する）内容が、当該検索キーの検索項目の内容として登録されたチューニングデータをチューニングデータＤＢ３２から検索し、検索したチューニングデータの書誌をオーディオ設定アプリケーション２０９に返信する。
【００３６】
このようにして、検索条件にマッチするチューニングデータの書誌を取得したオーディオ設定アプリケーション２０９は（ステップ４１２）、次に、図５ｂに示す設定画面をディスプレイ２０３に表示する（ステップ４１４）。
ここで、図５ｂに示すように、設定画面には、取得した各チューニングデータの書誌に含まれるタイトルの一覧５５１と、タイトルの一覧５５１上で選択されたタイトルであるチューニングデータの書誌の各項目の内容５５２とを表示する。なお、設定画面の表示開始時には、タイトルの一覧５５１中の先頭のタイトルを選択タイトルに自動設定する。
【００３７】
次に、このようにして設定画面を表示したならば（ステップ４１４）、ユーザのタイトルの一覧５５１上でのタイトルの選択操作の発生と（ステップ４１６）、ユーザの終了ボタン５５３の操作による終了指示の発生と（ステップ４１８）、ユーザの設定ボタン５５４の操作による設定指示の発生と（ステップ４２０）とを監視する。
【００３８】
そして、タイトルの選択操作が発生した場合には（ステップ４１４）、選択タイトルを今回ユーザから選択されたタイトルに更新し、書誌の内容の表示５５２を今回ユーザから選択されたタイトルに対応する書誌の各項目の内容に更新し（ステップ４２２）、ステップ４１６-４２０の監視に戻る。
【００３９】
一方、終了指示が発生したならば（ステップ４１８）、パラメータ設定処理を終了する。
また、設定指示が発生した場合には（ステップ４２０）、設定指示が発生した時点における選択タイトルのチューニングデータの識別を含むデータ送信要求をチューニングデータ提供サーバ３１に発行することにより、選択タイトルに対応するチューニングデータの対象音響環境とチューニングパラメータを取得する（ステップ４２４）。
【００４０】
ここで、オーディオ設定アプリケーション２０９から、データ送信要求を受けたチューニングデータ提供サーバ３１は、識別が示すチューニングデータの対象音響環境とチューニングパラメータをチューニングデータＤＢ３２から取得し、オーディオ設定アプリケーション２０９に返信する。また、このとき、識別が示すチューニングデータのダウンロード数を１増加する。
【００４１】
次に、以上のようにして、選択タイトルに対応するチューニングデータの対象音響環境とチューニングパラメータを取得したならば、チューニングパラメータに含まれるパラメータを、各音響環境項目の、取得した対象音響環境データと記憶部２０１の自音響環境データとの一致の有無のパターンに応じてフィルタリングする（ステップ４２６）。
【００４２】
ここで、フィルタリングは、予め定めた、各音響環境項目についての対象音響環境データと自音響環境データの不一致のパターンと、チューニングパラメータから除外するパラメータとの対応に従って、チューニングパラメータからパラメータを除外することにより行う。
ここで、この不一致のパターンと、チューニングパラメータから除外するパラメータとの対応は、各パターン毎にチューニングパラメータから除外するパラメータを対応づけることにより定義することもできるが、音響環境項目と、当該音響環境項目の情報が対象音響環境データと自音響環境データで不一致である場合にチューニングパラメータから除外するパラメータとを対応づけることにより定義することもできる。
【００４３】
ここで、音響環境項目と、当該音響環境項目の情報が対象音響環境データと自音響環境データで不一致である場合にチューニングパラメータから除外するパラメータとの対応づけは、具体的には、たとえば、図６に示すように、対象音響環境データと自音響環境データで車種（車名、型式）が一致しない場合には、チューニングパラメータからＴＣＲパラメータを除外し、対象音響環境データと自音響環境データでサブウーハーサイズが一致しない場合には、チューニングパラメータからクロスオーバーパラメータを除外し、対象音響環境データと自音響環境データでスピーカー数が一致しない場合には、チューニングパラメータからＴＣＲパラメータとクロスオーバーパラメータを除外し、対象音響環境データと自音響環境データでリスニングポジションが一致しない場合には、チューニングパラメータからＴＣＲパラメータを除外するといったように、各音響環境項目に対して、当該音響環境項目の情報が対象音響環境データと自音響環境データで不一致である場合にチューニングパラメータから除外するパラメータを定義することにより行う。なお、対象音響環境データと自音響環境データの一方がサブウーハー無を表しており、他方がサブウーハー有りを表している場合には、両データのサブウーハーサイズは不一致として取り扱う。
【００４４】
そして、図６の対応を用いる場合には、たとえば、取得した対象音響環境データと記憶部２０１の自音響環境データとで車種のみが一致しない場合には、チューニングパラメータからＴＣＲパラメータを除外し、他のパラメータのみがチューニングパラメータに残るように、チューニングパラメータのフィルタリングを行う。また、たとえば、取得した対象音響環境データと記憶部２０１の自音響環境データとで車種とサブウーハーサイズのみが一致しない場合には、チューニングパラメータからＴＣＲパラメータとクロスオーバーパラメータを除外し、他のパラメータのみがチューニングパラメータに残るように、チューニングパラメータのフィルタリングを行う。
【００４５】
ここで、以上のような、音響環境項目と、当該音響環境項目の情報が対象音響環境データと自音響環境データで不一致である場合にチューニングパラメータから除外するパラメータとの対応は、対象音響環境データが表す音響環境と、オーディオ装置１の音響環境とが当該音響環境項目について異なる場合に、そのパラメータをオーディオ装置１の当該音響環境項目のパラメータとして適用しても、そのチューニングパラメータの作成者が当該チューニングパラメータで意図した音質の実現に寄与しないパラメータが、当該音響環境項目の情報が不一致である場合に除外するパラメータとなるように設定する。すなわち、たとえば、車種やスピーカー数が異なる場合にはスピーカーの配置関係が異なるので、音像定位位置に関わるＴＣＲパラメータとして同じパラメータを適用しても同じ音像定位位置は得られないので、ＴＣＲパラメータは、車種やスピーカー数が異なる場合にチューニングパラメータから除外するパラメータとして設定する。また、サブウーハーサイズ/有無やスピーカー数などのスピーカーシステムの構成が異なる場合には、各スピーカー１０２が担うことが望ましい音域が異なり、各スピーカー１０２に出力する音声の周波数帯域を同じとしても同質の音質が得られることが期待できないので、クロスオーバーパラメータは、サブウーハーサイズやスピーカー数が異なる場合にチューニングパラメータから除外するパラメータとして設定する。また、たとえば、リスニングポジションが異なる場合には、音像定位位置に関わるＴＣＲパラメータとして同じパラメータを適用しても、リスニングポジションに対して同じ関係で定位する音像は得られないので、ＴＣＲパラメータは、リスニングポジションが異なる場合にチューニングパラメータから除外するパラメータとして設定する。ただし、図６に示した対応に代えて、オーディオ設定アプリケーション２０９の提供者等における音質に対するポリシーに従って定めた対応を用いるようにしてもよい。
【００４６】
さて、このようにしてチューニングパラメータのフィルタリングを行ったならば（ステップ４２６）、フィルタリング後のチューニングパラメータを、オーディオ装置１の制御部１０６に設定する（ステップ４２８）。
ここで、このようにしてチューニングパラメータの設定を受けたオーディオ装置１の制御部１０６は、上述のようにチューニングパラメータに従って、設定音響特性パラメータを変更する。
すなわち、設定されたチューニングパラメータに含まれるパラメータの音響特性項目についてのみ、設定音響特性パラメータに含まれるパラメータを、設定されたチューニングパラメータに含まれるパラメータに変更し、設定されたチューニングパラメータに含まれていないパラメータの音響特性項目については、設定音響特性パラメータに含まれる当該音響特性項目のパラメータを、現在のまま維持する。
【００４７】
そして、オーディオ装置１の制御部１０６は、変更後の設定音響特性パラメータに一致するように、メディアプレイヤにイコライザパラメータを設定したり、各音声出力装置１０３にＴＣＲパラメータやクロスオーバーパラメータを設定する。
この結果、たとえば、チューニングパラメータにイコライザパラメータのみが含まれている場合には、設定音響特性パラメータに含まれるイコライザパラメータのみがチューニングパラメータのイコライザパラメータに一致するように変更され、オーディオ装置１の音響特性はイコライザの特性（ゲインの周波数特性）のみが変化する。また、たとえば、チューニングパラメータにイコライザパラメータとＴＣＲパラメータのみが含まれている場合には、設定音響特性パラメータに含まれるイコライザパラメータとＴＣＲパラメータとがチューニングパラメータのイコライザパラメータとＴＣＲパラメータ一致するように変更され、オーディオ装置１の音響特性はイコライザの特性とＴＣＲの特性（各スピーカー１０２から出力される音間の遅延）のみが変化する。
【００４８】
この結果、オーディオ装置１の音響特性が、チューニング支援システムからダウンロートしたチューニングパラメータを用いて変更され、以降、ユーザは、オーディオ装置１に音声を出力させることにより、ダウンロートしたチューニングパラメータの評価が可能となる。
【００４９】
そこで、オーディオ設定アプリケーション２０９は、次に、ユーザから選択タイトルのチューニングデータの評価値を受け付けて、評価値と選択タイトルに対応するチューニングデータの識別とを含む評価登録要求をチューニングデータ提供サーバ３１に送信する評価処理を行って（ステップ４３０）オーディオ設定処理を終了する。
【００５０】
ここで、オーディオ設定アプリケーション２０９から、評価登録要求を受けたチューニングデータ提供サーバ３１は、受け取った評価値をｂ、識別が示すチューニングデータのレートをａ、評価回数をｎとして、（ａ×ｎ+ｂ）/（ｎ+1）に識別が示すチューニングデータのレートを更新すると共に、識別が示すチューニングデータの評価回数を１増加させる。
【００５１】
以上、スマートフォン２のオーディオ設定アプリケーション２０９が行うパラメータ設定処理について説明した。
以上のように、本実施形態によれば、チューニングデータに含まれる音響環境が表す各音響環境項目の情報と、オーディオ装置１の音響環境における各音響環境項目の情報との不一致のパターンに応じて、チューニングデータに含まれるチューニングパラメータが表す複数の音響特性項目のパラメータのうちからパラメータを選定し、選定したパラメータのみをオーディオ装置１に設定する。ここで、オーディオ装置１の音響環境での利用にチューニングデータのチューニングパラメータのパラメータを適用しても有効な音響特性項目は、チューニングデータに含まれる前記音響環境が表す各音響環境項目の情報と、前記オーディオ装置１の音響環境の各響環境項目の情報との一致の有無のパターンより特定することができる。したがって、本実施形態によれば、チューニングデータＤＢ３２に蓄積したチューニングデータに含まれるチューニングパラメータが表す複数のパラメータのうちからオーディオ装置１の音響環境での利用に有効なパラメータのみを選定してオーディオ装置１に設定することが可能となる。
【００５２】
よって、本発明によれば、オーディオ装置１の音響環境と完全には一致しない音響環境に好適化されたチューニングパラメータを含むチューニングデータも、そのチューニングパラメータに含まれるパラメータの一部のみを利用することによりオーディオ装置１の音質の向上のために用いることができるようになり、結果、サーバに登録された各チューニングデータの可用性が向上することとなる。
【００５３】
ところで、以上の実施形態では、パラメータ設定処理において図５ａの検索画面を用いてユーザが、作成者、タイトル、ジャンル、レート、車名、自動車の型式を検索キーとするチューニングデータの検索を可能としたが、チューニングデータの検索は、これら以外の書誌の項目（たとえば、コメント）や音響環境の項目（たとえば、リスニングポジションやスピーカーシステム）や登録日を検索キーとして行えるようにしてもよい。また、書誌や音響環境の項目の値が属するカテゴリを検索キーとしてチューニングデータの検索を行えるようにしてもよい。すなわち、たとえば、検索画面で、セダンやミニバンといった自動車のタイプを検索キーとして受け付け、チューニング提供サーバにおいて、検索キーとされた自動車のタイプに属する車名、型式が登録されたチューニングデータを、当該検索キーについての検索条件の部分を満たすチューニングデータとして検索するようにしてもよい。
【００５４】
なお、以上の実施形態は、スマートフォン２に代えて、ＰＤＡや、携帯電話などの任意の携帯装置を車載装置に接続して用いる場合に同様に適用可能である。
また、以上の実施形態は、スマートフォン２のオーディオ設定アプリケーション２０９や移動体通信装置を設けたが、これは、スマートフォン２のオーディオ設定アプリケーション２０９をオーディオ装置１に備え、オーディオ装置１のオーディオ設定アプリケーション２０９がスマートフォン２の移動体通信装置を用いて以上の処理を行うようにしてもよいし、スマートフォン２のオーディオ設定アプリケーション２０９や移動体通信装置をオーディオ装置１に設けて、オーディオ装置１単体で、以上の処理を行えるようにしてもよい。
【符号の説明】
【００５５】
１…オーディオ装置、２…スマートフォン、３…チューニング支援センタシステム、４…ＷＡＮ、３１…チューニングデータ提供サーバ、３２…チューニングデータＤＢ、１０１…入力装置、１０２…スピーカー、１０３…音声出力装置、１０４…表示装置、１０５…デバイスインタフェース、１０６…制御部、１０７…メディアプレイヤ、１０８…ラジオ受信機、１０９…ディスクドライブ、１１０…記憶装置、２０１…記憶部、２０２…操作部、２０３…ディスプレイ、２０４…音声入出力部、２０５…ホストインタフェース、２０６…移動通信装置、２０７…オペレーティングシステム、２０８…移動電話アプリケーション、２０９…オーディオ設定アプリケーション。
【図１】
2014026146.tif 000003
【図２】
2014026146.tif 000004
【図３】
2014026146.tif 000005
【図４】
2014026146.tif 000006
【図５】
2014026146.tif 000007
【図６】
2014026146.tif 000008